(57)【要約】【課題】携帯用コインホルダについて、コインの格納時に安定しており、かつ必要時には各コインを容易に取り出せるようにする。【解決手段】常用されるコインに合わせて収容可能な径を有する偶数本の円筒部が高さを揃えて二列に並べて配置され、その列間を跨ぎそれぞれの円筒部の上端を、コイン面へ指当てする領域を余して覆う天板部を有し、それぞれの円筒部の、天板部とは反対側となる両外側方向の上縁は半周分以上に亘って、当該円筒部に収容するコイン１枚分以上２枚分未満の厚さに対応する高さ分の隙間を上記天板部との間に形成させてあり、それぞれの円筒部の内底面にはコイルスプリングの一方の端部を取り付け、他方の端部には上記天板部に下から押圧する板状の押板部を設けたコインホルダとする。【選択図】図１
2014233467.tif 000002
【特許請求の範囲】
【請求項１】
常用されるコインに合わせて収容可能な径を有する偶数本の円筒部が高さを揃えて二列に並べて配置され、
その列間を跨ぎそれぞれの円筒部の上端を、コイン面へ指当てする領域を余して覆う天板部を有し、
それぞれの円筒部の、天板部とは反対側となる両外側方向の上縁は半周分以上に亘って、当該円筒部に収容するコイン１枚分以上２枚分未満の厚さに対応する高さ分の隙間を上記天板部との間に形成させてあり、
それぞれの円筒部の内底面にはコイルスプリングの一方の端部を取り付け、他方の端部には上記天板部に下から押圧する板状の押板部を設け、
上記隙間からそれぞれの円筒部の上記天板部と上記押板部との間に上記コインを挿入可能であり、かつ、上記円筒部の最上段に位置するコインの面に上記天板部に覆われていない部分から指を当てて滑らせることで、上記隙間から当該コインを一枚ずつ引き出し可能とした携帯用コインホルダ。
【請求項２】
上記押板部の上記天板部側のエッジが面取りされ、又は内底面側へ折り曲げられている請求項１に記載の携帯用コインホルダ。
【請求項３】
上記天板部は、上記両外側方向から上記円筒部のコイン中央近傍に向かって切り欠く切欠部を有し、この切欠部から上記最上段に位置するコイン面に指当てることを可能とした請求項１又は２に記載の携帯用コインホルダ。
【請求項４】
上記円筒部の底を覆う底板の両外側方向縁から、その縁部分を軸として回動可能な立板を延ばし、さらにそれぞれの立板から内側覆いフラップと外側覆いフラップを延ばし、上記天板部１２の上で、上記内側覆いフラップと上記外側覆いフラップとを重ねて固定できかつ解放できる構造を設けた、請求項１乃至３のいずれかに記載の携帯用コインホルダ。
【発明の詳細な説明】
【技術分野】
【０００１】
この発明は常用するコインを収容して携帯し、必要に応じて取り出せるコインホルダに関する。
【背景技術】
【０００２】
単独で又は財布の一部として実用される小銭入れは、常用される６種類のコインが混在した状態で一つの袋部の中に収容される。コイン枚数が多くなると、この中から目当てのコインを取り出すのに時間がかかり、支払いの際に後続を待たせてしまうということが起こりうる。このため、コインを種類毎に分けて収容する小銭入れが従来より検討されている。
【０００３】
単純な機構としては、特許文献１に挙げられるような、収容部に仕切板を取り付ける分別財布が挙げられる。また、コイン毎の格納室にコインを積層させこれを下からねじりばねでカバーに押圧し、上から横滑りに一枚ごとに、又は斜め方向から纏めてコインを出し入れ出来るようにした携帯用コインホルダが提示されている（特許文献２、３）。
【先行技術文献】
【特許文献】
【０００４】
【特許文献１】特開２００８−２９５９７９号公報
【特許文献２】特開昭５７−６９８０４号公報
【特許文献３】特開昭５６−１２８１０６号公報
【発明の概要】
【発明が解決しようとする課題】
【０００５】
しかしながら、特許文献２及び３の携帯コインホルダは、ねじりばねと一体化した線状の押圧部によりコインを固定しているため、コインに対してかかる摩擦が小さく、場合によってはコインが外れやすくなるおそれがあった。
【０００６】
そこでこの発明は、コインの格納時に安定しており、かつ必要時には各コインを容易に取り出せるようにしたコインホルダを提供することを目的とする。
【課題を解決するための手段】
【０００７】
この発明は、常用されるコインに合わせて収容可能な径を有する偶数本の円筒部が高さを揃えて二列に並べて配置され、
その列間を跨ぎそれぞれの円筒部の上端をコイン面へ指当てする領域を余して覆う天板部を有し、
それぞれの円筒部の、天板部とは反対側となる両外側方向の上縁は半周分以上に亘って、当該円筒部に収容するコイン１枚分以上２枚分未満の厚さに対応する高さ分の隙間を上記天板部との間に形成させており、
それぞれの円筒部の内底面にはコイルスプリングの一方の端部を取り付け、他方の端部には上記天板部に下から押圧する板状の押板部を設けた携帯用コインホルダによって、上記の課題を解決したのである。
【０００８】
この構成とすることで、コイルスプリングによる押板部がコインに対して垂直方向に当たり、上部は天板部によって押さえられるため、保管及び移動時に外れる可能性は著しく低いものとしながら、上記隙間からそれぞれの円筒部の上記天板部と上記押板部との間に上記コインを挿入可能であり、かつ、上記円筒部の最上段に位置するコインの面に上記天板部に覆われていない部分から指を当てて滑らせることで、上記隙間から当該コインを一枚ずつ引き出し可能となる。
【０００９】
この押板部のエッジ部分は、面取りするか、又は内底面側へ折り曲げておくことで、コインの挿入及び取り出しの際に引っ掛かりがなくなり、いずれもスムーズに行うことができる。
【００１０】
上記天板部は上記両外側方向から上記円筒部の中央に向かって切欠部を有し、この切欠部から上記最上段に位置するコイン面に指を当てることを可能とすると、天板部の縁周辺は下から押圧される力を受け止めることができるとともに、取り出す時には中央に指を当てて両外側方向に滑らせることで容易に取り出せるという固定と取り出しの利便性を両立させることができる。
【００１１】
さらに、両外側方向に、底板から上記天板部までの高さと同じ長さの立て板部を伸ばし、その立て板部のそれぞれに、上記天板部の半分以上を覆う内側覆いフラップと外側覆いフラップとを設けて、このフラップ間を面ファスナーやスナップボタンで留めるようにすると、上記隙間を生じている両外側方向が立て板部によって塞がれるため、輸送時にコインが落ちる可能性をさらに低くすることができる。
【発明の効果】
【００１２】
この発明により、安定してコインを格納でき、取り出し時には各種コインを速やかに迷い無く取り出すことができるようになる。
【図面の簡単な説明】
【００１３】
【図１】円筒部を並べた本体部と、それに被せる天板部との斜視図
【図２】本体部に天板部を嵌め合わせた状態の斜視図
【図３】（ａ）本体部に天板部を嵌め合わせた状態の平面図、（ｂ）（ａ）におけるＡ−Ａ断面図
【図４】隙間からコインを挿入又は抜き出す際の拡大平面図
【図５】隙間からコインを挿入又は抜き出す際の拡大断面図
【発明を実施するための形態】
【００１４】
以下、この発明にかかる携帯用コインホルダの実施形態を、図を用いて説明する。この携帯用コインホルダは、常用されるコイン６種のそれぞれよりもわずかに内径の大きい円筒部１１を６本、２列に並べて配置してある。これを配置した本体部４１と、それに被せる天板部１２との斜視図を図１、それらを嵌合した実際の利用形態の斜視図を図２に示す。
【００１５】
なお、この実施形態では各円筒部１１を上縁１４ａ側で繋ぐ繋ぎ部１０を介して一体の本体部４１として形成させているが、形成方法はこれに限られるものではない。例えば、独立した円筒部１１を、底板上に並べて固定した形態でもよい。
【００１６】
この円筒部１１の径は、わが国用であれば当然に五百円玉用が一番大きく、一円玉用が一番小さい。なお、わが国のコインは大きいものから順に五百円玉、十円玉、百円玉、五円玉、五十円玉、一円玉という順になるが、百円玉と五円玉の直径は０．６ｍｍしか変わらず、五円玉と五十円玉、五十円玉と一円玉の直径の違いは１ｍｍ、十円玉と百円玉でも１．１ｍｍしか違わない。このため、五百円玉以外は、直径の近いコインとの間で配置を交換できるように、各円筒部の直径を大きい側に揃えて形成させてもよい。それぞれの円筒部１１は内底面１７を有するが、上底面は開放されており、後述の天板部１２によって一部が覆われることになる。
【００１７】
各円筒部１１の配置は径の大きさの大小を平均化するように並べるとこの発明にかかる携帯用コインホルダをよりコンパクトに作れる。一方の列に、最大径の五百円玉と、径の小さい五十円玉と、一円玉とを並べ、他方の列に残りの百円玉、十円玉、五円玉を並べると最もコンパクトになる。図ではこの配置を示している。すなわち、図中右側に、五百円玉用円筒部１１ａと、五十円及び一円玉に対応した小玉用円筒部１１ｂ、１１ｂを並べ、図中左側に、十円玉用円筒部１１ｃと、百円玉及び五円玉に対応した中玉用円筒部１１ｄ、１１ｄを並べている。また別の配置としては、一方の列に一円玉、十円玉、百円玉を並べ、他方の列に五円玉、五十円玉、五百円玉を並べると、コインの配置を把握しやすく取り出し時に便利である。むろんこれらの配置は、上記のように径の近いコイン間で交換可能である。
【００１８】
三本ずつの円筒部１１を円の中心で揃えて平行に並べると、コインを取り出す際の指をひっかける位置が径の違いによって微妙にずれるため、列の両外側で接する接線が共通かつ平行になるように配置を調整するとコインを取り出しやすい。すなわち、円筒部１１の配置は両外側に寄っている。この配置例を図３（ａ）の平面図に示す。なお、この平面図は上記の本体部４１に、天板部１２を嵌め合わせた状態の図である。
【００１９】
この円筒部１１の列間を跨ぐように、それぞれの円筒部１１の上端を覆う天板部１２が設けてある。この実施形態では、３対の円筒部１１全てについて上端を覆う天板部１２が一体に形成されている。ただしこの天板部１２は、個々の円筒部１１の上端（１４ａ及び１４ｃ）の全てを覆うのではなく、円筒部１１に格納されて天板部１２に下から押圧されるコインの面に指を当てて取り出すことができる領域を余しておく必要がある。この領域の余し方は特に限定されず、コイン面の両外側方向の半円領域を露出させ、両内側方向の半円領域を覆うとしてもよい。さらに、天板部１２が両外側方向からコイン面の中心部分近傍を広く円弧状に欠けるように切り込む切欠部１３ａを有していると、コイン面に指を当てやすく、取り出しやすいため好ましい。ただし、後述する押板部２０が飛びでない程度の切り欠きである必要がある。一方、隣接するコインとコインとの間と、両端部とでは、天板部１２は外側へ張り出した張出部１３ｂを形成してあると、コインの周囲を囲む面積が広くなり、コインが落下しにくくなるため好ましい。
【００２０】
この実施形態においては、天板部１２を本体部４１に嵌め合わせるにあたっては、本体部４１の両端、列間中央部分に設けた装入口４２に、天板部１２の下側に延び、装入口４２へ弾性変形して嵌め合わせることができる引掛部４４を嵌合させる。この嵌合の強度は、天板部１２に力をこめて引っ張れば外せる程度であるとよい。後述するコイルスプリング１９や押板部２０が変形や破損したときに、天板部１２を外して修理交換する作業が容易に可能となる。
【００２１】
図３（ｂ）に、図３（ａ）のＡ−Ａ断面図を示す。それぞれの円筒部１１の上縁１４ａは全周に亘って天板部１２の底側に高さを揃えているのではなく、少なくとも上記の両外側方向の下げ上縁１４ｃは、コイン半周分以上の長さに亘って、天板部１２の高さよりも低い位置に下げるように段差１４ｂを設けてある。これにより、両外側方向の下げ上縁１４ｃは、天板部１２との間に隙間１６を生じることになる。
【００２２】
図４にコインを入れる際の一の円筒部１１についての拡大平面図を、図５にその拡大断面図を示す。この隙間１６の高さは、その円筒部１１に収容するコイン１枚分以上２枚分未満の厚さに相当するものとする。これにより、取り出し時に２枚以上のコインが一度に取り出されることが無くなり、無駄な枚数のコインが飛び出てしまうことを防止できる。
【００２３】
一方で、天板部１２によって覆われる両内側方向の上縁１４ａは、少なくとも天板部１２に接するか、天板部１２との隙間がコイン一枚分よりも小さくなっていると好ましい。コインを押し込んだときのストッパーとなるためである。特に、両端の円筒部１１の上縁１４ａは、両端方向（図３の上下方向にあたる）にコインが飛び出ることが無いように、下げられていない上縁１４ａが両内側方向の半周分に亘っていることが好ましい。図の実施形態では図１に示すように、上縁１４ａと下げ上縁１４ｃとの長さは半周ごとに分けられている。こうすると、両外側方向にのみコインが移動でき、なおかつ押し込んだコインが安定するので最も好ましい。
【００２４】
なお、これらの本体部４１及び天板部１２の材質は特に限定されないが、フッ素樹脂などの樹脂製でもよいし、アルミやステンレスなどの金属製でもよい。ただし、樹脂製の方が一般に挿入時及び取り出し時に滑らせ易い。
【００２５】
一方、円筒部１１の内底面１７には、中心に円形の窪み部１８が設けてある。この窪み部１８に、コイルスプリング１９の一方の端部を取り付け、他方の端部には、天板部１２に下から押圧する板状の押板部２０を取り付けてある。なお、図１ではコイルスプリング１９を見やすくするために押板部２０を省略して記載している。コイルスプリング１９自体は樹脂製でも金属製でもよいが、金属製の方が多くの場合耐久性が高く好ましい。なお、コイルスプリング１９の形状は図のような略円錐台形に限らず、円筒形でもよい。
【００２６】
押板部２０は天板部１２に下から押圧することで円筒部１１から飛び出ることが無いような大きさとする。形状は円形でも角形でもよいが、コイン２５を収容する際にはコイン２５自体を下から支えることになるため、各コインの面積の４分の１以上の面積を有していることが好ましい。
【００２７】
また、押板部２０のエッジ２１は、面取りをしているか、又は、図３（ｂ）に示すように内底面１７側へ折り曲げられていると好ましい。エッジ２１が天板部１２側へ立ち上がっていると、コイン２５を挿入する際にも、取り出す際にも引っ掛かりを生じてしまい、いずれの動作もスムーズに行えなくなるおそれがあるためである。特に、内底面１７側へ折り曲げていると、その曲げにそってコインを挿入しやすくなるため好ましい。
【００２８】
それぞれの円筒部１１にコイン２５を収容する際には、下げ上縁１４ｃにより形成される隙間１６から、押板部２０を押下させつつ、押板部２０と天板部１２との間に挿入する。二枚目以降を収容する際には、最上段にあるコイン２５と天板部１２との間に、同様の手順により挿入していく。
【００２９】
それぞれの円筒部１１からコイン２５を取り出す際には、円筒部１１の最上段に位置するコイン２５の面に、切欠部１３ａによって天板部１２から余して露出した部分に指を当てて、隙間１６へとスライドさせて引き出すことができる。取り出した後、それより下のコイン２５は、コイルスプリング１９の弾性力によって天板部１２に下から押圧され、次の取り出しに備えた状態となる。
【００３０】
この携帯用コインホルダは、コイルスプリング１９の弾性力を天板部１２が支えることでそのままでもコイン２５を落下させてしまうことは希であるが、さらに携帯時の信頼性を高めるために、周囲を覆う構造とすると好ましい。この実施形態においては、まず、本体部４１の底をカバーする底板３０から上記の両外側方向に、底板３０の両外側方向縁から縁部分を軸として回動可能な立板３１ａ，３１ｂを形成させる。この立板３１ａ，３１ｂは、円筒部１１の高さに天板部１２の厚みを加えた長さを有する。さらにそれぞれの立板３１ａ、３１ｂの先には、内側覆いフラップ３２と、外側覆いフラップ３３とが同じく回動可能に設けてある。その長さは二つ合わせて底板３０より長くなるものとし、天板部１２の上でこれらのフラップが重なり部分を有する。この重なり部分に、内側覆いフラップ３２は外側面に雌スナップボタン３５を、外側覆いフラップ３３は内側面に雄スナップボタン３４を取り付けてあり、これらを嵌め合わせることで、立板３１ａ，３１ｂが隙間１６を覆った状態で固定され、両外側方向へのコインの落下を防ぐことができる。
【００３１】
なお、スナップボタンの雄雌は逆でもよいし、スナップボタンの代わりに面ファスナーなどの、各種の取り外し可能な固定構造を用いてもよい。また、底板３０、立板３１ａ、３１ｂ、両フラップは一体の厚紙や樹脂板として、回動可能とする部分を折り曲げたり薄肉化したりすることで実現させることができる。また、それぞれを独立の木板や金属板として、蝶番で回動可能に取り付けてもよい。
【００３２】
また、利用する際にどこにどのコイン２５を挿入するかをわかりやすくするため、天板部１２には、それぞれの円筒部１１の上に挿入するコインの額面を算用数字で記載しておくと好ましい。
【符号の説明】
【００３３】
１０  繋ぎ部
１１  円筒部
１１ａ  五百円玉用円筒部
１１ｂ  小玉用円筒部
１１ｃ  十円玉用円筒部
１１ｄ  中玉用円筒部
１２  天板部
１３ａ  切欠部
１３ｂ  張出部
１４ａ  上縁
１４ｂ  段差
１４ｃ  下げ上縁
１６  隙間
１７  内底面
１８  窪み部
１９  コイルスプリング
２０  押板部
２１  （押板部の）エッジ
２５  コイン
３０  底板
３１ａ，３１ｂ  立板
３２  内側覆いフラップ
３３  外側覆いフラップ
３４  雄スナップボタン
３５  雌スナップボタン
４１  本体部
４２  装入口
４４  引掛部
【図１】
2014233467.tif 000003
【図２】
2014233467.tif 000004
【図３】
2014233467.tif 000005
【図４】
2014233467.tif 000006
【図５】
2014233467.tif 000007